(57)【要約】【課題】インキ缶の構成を簡素化して、部品点数を低減し、製造及び組み付け上のコストを低減することができるとともに、インキの供給作業を確実に行うことができるインキ供給装置を提供する。【解決手段】底板１１に設けた支持テーブル１３にインキ缶１４を支持する。底板１１に装着したハウジング１６の上端部に天板１７を水平に取り付ける。この天板１７の下面にシールリング１８を接着し、インキ缶１４の上端開口縁を接触する。インキ缶１４内にインキ押出部材１９を収容し、インキ押出部材１９と天板１７との間に形成された加圧室Ｒに圧縮空気を供給する。そして、インキ吐出パイプ２１に沿ってインキ押出部材１９を下方に移動し、インキを加圧することによりインキ缶１４内のインキをインキ吐出パイプ２１及びインキ供給パイプ２５を通して外部に供給する。【選択図】　　　図１
2004058652.tif 000002
【特許請求の範囲】
【請求項１】
インキ缶の上端開口部を閉鎖した状態で、インキ缶内のインキを加圧するインキ加圧手段と、該インキ加圧手段に設けられ、かつ加圧されたインキを外部に吐出するインキ吐出手段とを備えたことを特徴とするインキ供給装置。
【請求項２】
請求項１において、前記インキ加圧手段は、インキ缶の筒部の内周面に沿って底面側に移動されるインキ押出部材であって、該インキ押出部材には加圧されたインキを外部に吐出するためのインキ吐出パイプが接続されているインキ供給装置。
【請求項３】
請求項２において、前記インキ吐出パイプは、インキ缶の内部に配設され、該吐出パイプの下端入口はインキ缶の底面に支持され、加圧されたインキを該底面側からインキ吐出パイプ内に導くようになっており、前記インキ押出部材には前記インキ吐出パイプの外周面に案内されて上下方向に移動可能なガイド筒が設けられているインキ供給装置。
【請求項４】
請求項２において、前記インキ吐出パイプの下端入口は、前記インキ押出部材の加圧面側に開口するように接続されているインキ供給装置。
【請求項５】
請求項２〜４のいずれか一項において、前記インキ缶の底面は支持テーブルにより支持され、インキ缶の上方に位置するように、インキ缶の上端開口縁を閉塞可能な天板が配設され、前記天板の下面にインキ缶の上端開口縁が接触したシール状態で、前記インキ押出部材の上面、インキ缶の内周面及び前記天板の下面によって加圧室が形成され、前記天板に設けた供給ポートから前記加圧室に圧縮空気が供給されると、前記インキ押出部材が下方に移動されるようになっているインキ供給装置。
【請求項６】
請求項２〜４のいずれか一項において、前記インキ缶の底面は支持テーブルにより支持され、インキ缶の上方に位置するように天板が配設され、前記インキ押出部材は前記天板に設けた昇降機構により昇降動作されるようになっているインキ供給装置。
【請求項７】
請求項５において、前記支持テーブルは、インキ缶の上端開口縁を天板の下面に押圧してシール力を付与するシール力付与機構を備えているインキ供給装置。
【請求項８】
請求項７において、前記シール力付与機構は前記支持テーブルの高さ位置を切り換えるように構成されたものであるインキ供給装置。
【請求項９】
請求項４〜８のいずれか一項において、前記インキ吐出パイプは前記インキ押出部材に対し、取り外し可能に装着されているインキ供給装置。
【請求項１０】
請求項２〜９のいずれか一項において、前記インキ吐出パイプ又はインキ加圧手段には、前記インキ吐出パイプ内の残留インキを外部へ排出するための残留インキ排出機構が設けられているインキ供給装置。
【請求項１１】
請求項１０において、前記インキ押出部材の加圧面にはインキ吐出パイプの開口部を除いて該加圧面を被覆する被覆膜が接触されるようになっているインキ供給装置。
【請求項１２】
請求項２〜１１のいずれか一項において、前記インキ吐出パイプの下端入口には逆止弁が設けられているインキ供給装置。
【請求項１３】
請求項１２において、前記逆止弁は、インキ押出部材のガイド筒を案内するようにインキ缶内に配設されたインキ吐出パイプの上端部の開口に取付けた下部の逆止弁と、前記天板に形成した吐出ポートに設けた上部の逆止弁とにより構成され、前記両逆止弁の弁板は互いに接触可能に構成されているインキ供給装置。
【発明の詳細な説明】
【０００１】
【発明の属する技術分野】
本発明は、インキ供給装置に係り、詳しくはインキ缶内のインキを簡単な構成により外部に取り出して印刷機に供給することができるインキ供給装置に関するものである。
【０００２】
【従来の技術】
この種のインキ供給装置として、従来、個々のインキカートリッジの内部にインキ押出部材を収容し圧縮空気を利用して前記インキ押出部材を下方に移動させて、インキカートリッジの下端部に設けた吐出口からインキを外部に吐出するようにしたものが提案されている。
【０００３】
【発明が解決しようとする課題】
ところが、上記従来のインキ供給装置は、個々のインキカートリッジにインキ押出部材とインキの吐出口が設けられていたので、インキカートリッジの構成が複雑となり、部品点数が多くなって製造及び組み付け上のコストを低減することができないという問題があった。従って、一般的にはインキをインキつぼに供給する場合、インキ缶よりへら等で掬いとりそれを印刷機のインキつぼに供給するようにしていた。
【０００４】
本発明は、インキ缶の構成を簡素化して、部品点数を低減し、製造及び組み付け上のコストを低減することができるとともに、インキの供給作業を確実に行うことができるインキ供給装置を提供することにある。
【０００５】
【課題を解決するための手段】
上記問題点を解決するために、請求項１に記載の発明は、インキ缶の上端開口部を閉鎖した状態で、インキ缶内のインキを加圧するインキ加圧手段と、該インキ加圧手段に設けられ、かつ加圧されたインキを外部に吐出するインキ吐出手段とを備えたことを要旨とする。
【０００６】
請求項２に記載の発明は、請求項１において、前記インキ加圧手段は、インキ缶の筒部の内周面に沿って底面側に移動されるインキ押出部材であって、該インキ押出部材には加圧されたインキを外部に吐出するためのインキ吐出パイプが接続されていることを要旨とする。
【０００７】
請求項３に記載の発明は、請求項２において、前記インキ吐出パイプは、インキ缶の内部に配設され、該吐出パイプの下端入口はインキ缶の底面に支持され、加圧されたインキを該底面側からインキ吐出パイプ内に導くようになっており、前記インキ押出部材には前記インキ吐出パイプの外周面に案内されて上下方向に移動可能なガイド筒が設けられていることを要旨とする。
【０００８】
請求項４に記載の発明は、請求項２において、前記インキ吐出パイプの下端入口は、前記インキ押出部材の加圧面側に開口するように接続されていることを要旨とする。
【０００９】
請求項５に記載の発明は、請求項２〜４のいずれか一項において、前記インキ缶の底面は支持テーブルにより支持され、インキ缶の上方に位置するように、インキ缶の上端開口縁を閉塞可能な天板が配設され、前記天板の下面にインキ缶の上端開口縁が接触したシール状態で、前記インキ押出部材の上面、インキ缶の内周面及び前記天板の下面によって加圧室が形成され、前記天板に設けた供給ポートから前記加圧室に圧縮空気が供給されると、前記インキ押出部材が下方に移動されるようになっていることを要旨とする。
【００１０】
請求項６に記載の発明は、請求項２〜４のいずれか一項において、前記インキ缶の底面は支持テーブルにより支持され、インキ缶の上方に位置するように天板が配設され、前記インキ押出部材は前記天板に設けた昇降機構により昇降動作されるようになっていることを要旨とする。
【００１１】
請求項７に記載の発明は、請求項５において、前記支持テーブルは、インキ缶の上端開口縁を天板の下面に押圧してシール力を付与するシール力付与機構を備えていることを要旨とする。
【００１２】
請求項８に記載の発明は、請求項７において、前記シール力付与機構は前記支持テーブルの高さ位置を切り換えるように構成されたものであることを要旨とする。
【００１３】
請求項９に記載の発明は、請求項４〜８のいずれか一項において、前記インキ吐出パイプは前記インキ押出部材に対し、取り外し可能に装着されていることを要旨とする。
【００１４】
請求項１０に記載の発明は、請求項２〜９のいずれか一項において、前記インキ吐出パイプ又はインキ加圧手段には、前記インキ吐出パイプ内の残留インキを外部へ排出するための残留インキ排出機構が設けられていることを要旨とする。
【００１５】
請求項１１に記載の発明は、請求項１０において、前記インキ押出部材の加圧面にはインキ吐出パイプの開口部を除いて該加圧面を被覆する被覆膜が接触されるようになっていることを要旨とする。
【００１６】
請求項１２に記載の発明は、請求項２〜１１のいずれか一項において、前記インキ吐出パイプの下端入口には逆止弁が設けられていることを要旨とする。
請求項１３に記載の発明は、請求項１２において、前記逆止弁は、インキ押出部材のガイド筒を案内するようにインキ缶内に配設されたインキ吐出パイプの上端部の開口に取付けた下部の逆止弁と、前記天板に形成した吐出ポートに設けた上部の逆止弁とにより構成され、前記両逆止弁の弁板は互いに接触可能に構成されていることを要旨とする。
【００１７】
【発明の実施の形態】
以下、本発明を具体化したインキ供給装置の一実施形態を図１〜図５に従って説明する。
【００１８】
図１に示すように、平面円盤状をなす底板１１の上面には複数（この実施形態は２カ所）のガイドピン１２が上方に向けて互いに平行に配設されている。このガイドピン１２は支持テーブル１３のリング部１３ａのガイド孔１３ｂに嵌合され、ガイドピン１２によって支持テーブル１３が上下方向の高さ位置調整可能に装着されている。前記支持テーブル１３の上面にはインキを収容したインキ缶１４が載置されるようになっている。このインキ缶１４は筒部１４ａと底面１４ｂとにより有底筒状に構成され、緩やかなテーパの筒部１４ａの上端部は開口され、この上端開口部は市販状態では図示しない蓋板により閉鎖されている。
【００１９】
前記底板１１の外周縁には半円筒状のハウジング１６が取り付けられ、ハウジング１６の上端部には平面円板状をなす天板１７が溶接等により取り付けられている。前記天板１７の下面には前記インキ缶１４の筒部１４ａの上端開口縁を接触させてシールするゴム製の偏平状のシールリング１８が接着されている。前記インキ缶１４内にはインキ押出部材１９が嵌入され、その中心部にはガイド筒２０の下端が接合されている。このガイド筒２０内にはインキ吐出手段としてのインキ吐出パイプ２１が上下方向に挿通されている。このインキ吐出パイプ２１の前記底面１４ｂに当接される下端縁には、インキの入口２１ａが形成されている。又、インキ吐出パイプ２１の上端部２１ｂは前記天板１７の中心部に形成した吐出ポート１７ａに接続可能になっている。この吐出ポート１７ａの下部には係合凹部１７ｂが形成され、前記インキ吐出パイプ２１の上端部２１ｂが横方向に移動しないようになっている。
【００２０】
前記天板１７にはエア供給ポート１７ｃが形成されている。このエア供給ポート１７ｃにより前記天板１７とインキ押出部材１９との間に形成された加圧室Ｒに対しコンプレッサ２２からエア供給パイプ２３を通して圧縮空気が供給されるようにしている。この実施形態ではコンプレッサ２２、エア供給パイプ２３及びエア供給ポート１７ｃによってエア供給機構が構成されている。
【００２１】
この実施形態では、前記インキ押出部材１９、ガイド筒２０、インキ吐出パイプ２１、コンプレッサ２２及びエア供給パイプ２３等によりインキ加圧手段２４を構成している。
【００２２】
前記天板１７の上面側にはインキ供給パイプ２５が接続治具２６により前記吐出ポート１７ａに接続されている。このインキ供給パイプ２５は図示しないが印刷機のインキつぼにインキを供給するようになっている。前記天板１７には前記インキ押出部材１９の高さ位置を検出して、インキ缶１４内のインキの量を検出するインキレベル検出器２７が設けられている。
【００２３】
図４はインキ吐出パイプ２１の上端部２１ｂと接続治具２６の下端筒部２６ａに設けた逆止弁２８，２９の取付構造を示す。下部の逆止弁２８はインキ吐出パイプ２１の上端部２１ｂの開口に圧入嵌合される円筒部２８ａと、この円筒部２８ａの上端内周に弾性変形可能に一体に連結された平面円形状の弁板２８ｂとを備えている。該弁板２８ｂは円筒部２８ａに対し弾性変形可能なヒンジ部２８ｃにより連結され、該弁板２８ｂは常には閉鎖位置に保持されるようになっている。同様に、逆止弁２９は前記下端筒部２６ａの下端開口に圧入嵌合される円筒部２９ａと、この円筒部２９ａの下端内周に弾性変形可能に一体に連結された平面円形状の弁板２９ｂとを備えている。該弁板２９ｂは円筒部２９ａに対し弾性変形可能なヒンジ部２９ｃにより連結され、該弁板２９ｂは常には閉鎖位置に保持されるようになっている。
【００２４】
次に、前記インキ缶１４の上端開口縁をシールリング１８の下面に押圧してシール力を付与するためのシール力付与機構３１について説明する。
前記底板１１の上面とハウジング１６の下端の円筒部１６ａの内周面には案内リング３２が配設され、ビス３３により所定位置に固定されている。案内リング３２の内周面には平面円環状の案内溝３２ａが形成され、この案内溝３２ａにはリングナット３４の外周部が所定位置において案内回動されるようにしている。このリングナット３４の内周面には雌ねじ３４ａが形成され、前記支持テーブル１３のリング部１３ａの外周面に形成された雄ネジ部１３ｃに螺合されている。前記リングナット３４の外周部には操作部材としての操作レバー３５の先端ネジ部が前記ハウジング１６の円筒部１６ａ及び案内リング３２に形成したスロット１６ｂ及び３２ｂを通して螺合固定されている。
【００２５】
この実施形態では、前記ガイドピン１２、支持テーブル１３のリング部１３ａ及びガイド孔１３ｂにより支持テーブル１３を上下方向に案内する案内機構を構成している。又、前記雄ネジ部１３ｃ及び雌ねじ３４ａによりネジ機構を構成している。
【００２６】
従って、前記操作レバー３５を図３においてスロット１６ｂ，３２ｂに沿って水平方向に回動すると、リングナット３４が案内リング３２の案内溝３２ａに案内されて往復回動され、支持テーブル１３のリング部１３ａが雌ねじ３４ａ及び雄ネジ部１３ｃの送り作用により上方又は下方に移動される。
【００２７】
前記リングナット３４の外周面の一部には凹部３４ｂが形成され、この凹部３４ｂの旋回軌跡と対応するように前記案内リング３２には位置検出器３６が設けられている。そして、支持テーブル１３が最大上昇位置に移動されたとき、つまりインキ缶１４の上端開口縁がシールリング１８の下面に押圧されてシール力が付与されたとき、凹部３４ｂが位置検出器３６と対応して検出信号を制御装置（図示略）に出力するようになっている。
【００２８】
次に、前記のように構成したインキ供給装置についてその動作を説明する。
最初に、図５に示すようにインキ缶１４の筒部１４ａの開口部の蓋を取り外した状態で、ガイド筒２０にインキ吐出パイプ２１を貫通したインキ押出部材１９を筒部１４ａの上端部に嵌合する。
【００２９】
一方、操作レバー３５を操作して支持テーブル１３の高さ位置を最下位置に移動保持する。この状態でインキ押出部材１９を装着したインキ缶１４を前記支持テーブル１３の上面に載置する。このときインキ吐出パイプ２１の上端部２１ｂを天板１７の係合凹部１７ｂと対応させる。
【００３０】
次に、前記操作レバー３５を操作して前記支持テーブル１３を最下位置から最上位置に移動させる。すると、図１，２に示すようにインキ缶１４の上端開口縁がシールリング１８の下面に押圧され、前記加圧室Ｒがシール状態に保持される。前記支持テーブル１３の最上位置への移動に伴って、位置検出器３６が作動される。図示しない電磁開閉弁が開放されてレギュレータにより所定圧に設定された圧縮空気がコンプレッサ２２からエア供給パイプ２３を介して加圧室Ｒに供給されると、インキ押出部材１９が筒部１４ａの内周面１４ｃに沿って下方に案内移動され、インキ缶１４内のインキが加圧される。
【００３１】
この加圧力によってインキがインキ吐出パイプ２１の入口２１ａからインキ吐出パイプ２１内に圧入される。これにより、インキは逆止弁２８，２９の弁板２８ｂ，２９ｂを押し開いて前記接続治具２６の下端筒部２６ａからインキ供給パイプ２５を通して図示しない印刷機のインキつぼに供給される。
【００３２】
前記インキ押出部材１９が最下位置に移動されると、インキレベル検出器２７からの信号により制御装置に接続したディスプレイにインキが無くなったことが表示される。
【００３３】
インキ缶１４のインキが無くなると、前記操作レバー３５が逆方向に回動されて、支持テーブル１３が下方に移動される。このため、インキ吐出パイプ２１の上端部２１ｂが接続治具２６の下端筒部２６ａから離れる。このとき、図４に示すように逆止弁２８，２９の弁板２８ｂ，２９ｂが閉鎖され、かつ両弁板２８ｂ，２９ｂによって、インキが上下に分離されているので、弁板２９ｂの下面にはインキが付着することはなく、下端筒部２６ａ内からインキが漏れることもない。
【００３４】
上記実施形態のインキ供給装置によれば、以下のような特徴を得ることができる。
（１）上記実施形態では、インキ缶１４の筒部１４ａの内部にインキ押出部材１９を収容し、加圧室Ｒに圧縮空気を供給してインキ押出部材１９を下方に移動させインキ吐出パイプ２１からインキを外部に吐出するようにした。このため、インキ缶１４内のインキを簡単な構成により外部に吐出して印刷機に供給することができる。
【００３５】
又、インキ缶１４に対しインキ押出部材１９及びインキ吐出パイプ２１を個々に取り付けておく必要がないので、インキ缶１４の構成を簡素化して、部品点数を低減し、製造及び組み付け上のコストを低減することができる。
【００３６】
（２）上記実施形態では、前記シール力付与機構３１によってインキ缶１４の上端開口縁をシールリング１８の下面に押圧するようにしたので、加圧室Ｒのシールを簡単な構成により確実に行うことができ、インキ押出部材１９の圧縮空気による加圧動作を確実に行うことができる。
【００３７】
（３）上記実施形態では、インキ吐出パイプ２１によってインキ押出部材１９の中心部に連結したガイド筒２０を下方に案内移動するようにしたので、インキ押出部材１９の下方への移動を水平状態で円滑に行うことができ、インキの吐出動作を適正に行うことができる。
【００３８】
（４）上記実施形態では、インキ吐出パイプ２１から上方に搬送されたインキをインキ供給パイプ２５によりインキつぼに供給するようにしたので、パイプ内をインクが流れる間にインキが練り込まれてインキの硬さの均一化を図ることができる。
【００３９】
（５）上記実施形態では、インキレベル検出器２７からの検出信号に基づいてインキのレベルを表示するようにしたので、インキ缶１４内のインキの残量を容易に判別することができる。
【００４０】
（６）上記実施形態では、インキ吐出パイプ２１の上端部２１ｂに逆止弁２８を設け、接続治具２６の下端筒部２６ａに逆止弁２９を設け、弁板２８ｂ，２９ｂを互いに接触した。このため、インキ缶１４の交換時に接続治具２６の下端筒部２６ａからインキが垂れるのを防止することができる。
（別の実施形態）
次に、図６〜図９によりこの発明の別の実施形態について説明する。
【００４１】
この実施形態のインキ供給装置は、インキ押出部材１９を下方に移動させるための加圧室Ｒの他に、インキ押出部材１９を上方に移動させるための加圧室Ｒｕを備えている。又、インキ押出部材１９の加圧面側にインキ吐出パイプ２１の下端の入口２１ａを開口させ、インキの色変えの際にインキ吐出パイプ２１のみを取り換えれば良いようにしたものである。
【００４２】
図６に示すように、前記シール力付与機構３１を構成する底板５１の上面にはリフターガイド５２が支持され、このリフターガイド５２の上面には複数の支柱５３が互いに平行に立設されており、各支柱５３の上端部には前記天板１７が水平に支持されている。前記底板５１及びリフターガイド５２の内側には回転リング５４が所定位置において前記操作レバー３５によって往復回動可能に支持されている。前記回転リング５４の上面には前記インキ缶１４を支持するための支持テーブル１３１が支持されている。この支持テーブル１３１は前記リフターガイド５２の内周面５２ａに形成された案内溝５２ｂによって案内される案内ピン５６を備えている（図７参照）。前記回転リング５４の上面には駆動カム５４ａが一体に形成され、前記支持テーブル１３１の下面には駆動カム５４ａによって昇降動作される被動カム１３１ａが一体に形成されている。
【００４３】
従って、前記操作レバー３５によって前記回転リング５４が垂直軸線の回りで水平方向に回動されると、駆動カム５４ａによって被動カム１３１ａが持ち上げられ、支持テーブル１３１が非回動状態で上方に持ち上げられる。このため、前記インキ缶１４が上方に移動され、インキ缶１４の上部外周面がシールリング６６によってシールされる。
【００４４】
前記天板１７の上面には前記インキ押出部材１９を上昇させるためのシリンダ６０が装着されている。このシリンダ６０は前記天板１７の上面に立設固定された円筒状をなすシリンダ本体６１と、このシリンダ本体６１の内部に上下方向の往復動可能に収容されたピストンロッド６２とを備えている。このピストンロッド６２は、前記シリンダ本体６１の内周面に沿って上下方向に往復動されるピストン部６２ａと、前記天板１７の中心部に形成された前記吐出ポート１７ａの内周面に沿って上下方向に案内移動されるロッド部６２ｂとによって構成されている。前記ピストンロッド６２の下端部にはインキ押出部材１９が嵌合固定されている。この実施形態では、前記インキ押出部材１９は複数の部材によって構成されている。すなわち、前記ピストンロッド６２の下端外周部に嵌合固定された本体６３と、この本体６３の外周面に嵌合固定されたゴム製のシールリング６４と、前記本体６３をロッド部６２ｂの下端部に保持するための係止リング６５とによって構成されている。前記シールリング６４の外周面はインキ缶１４の内周面１４ｃに摺動しながら下方に移動されるようになっている。
【００４５】
前記天板１７の下面には前記インキ缶１４の上端外周部を嵌入するための嵌入穴１７ｄが形成され、その内周面には前記シールリング１８と同様の機能を有するシールリング６６が取付溝によって所定位置に取り付けられている。そして、前記インキ缶１４が上昇されたときにインキ缶１４の上端寄りの外周面にシールリング６６が接触してシール性を保持するようになっている。
【００４６】
前記天板１７には前記インキ押出部材１９を下方へ移動させるための圧縮空気を前記コンプレッサ２２からエア供給パイプ２３ａを介して加圧室Ｒに供給するためのエア供給ポート１７ｃが形成されている。前記シリンダ本体６１の内周面、ピストン部６２ａの下面、ロッド部６２ｂの外周面及び天板１７の上面によって加圧室Ｒｕが形成されている。そして、前記天板１７に形成された圧縮空気の供給通路１７ｅから前記コンプレッサ２２のエア供給パイプ２３ｂを介して前記加圧室Ｒｕに圧縮空気が供給されると、前記ピストンロッド６２が上昇されて前記インキ押出部材１９が上昇されるようになっている。
【００４７】
前記ピストンロッド６２の中心部には前記インキ吐出パイプ２１を上下方向に挿入するための挿入穴６２ｃが形成されている。前記インキ吐出パイプ２１の外周面には位置規制リング６７が嵌合固定され、この位置規制リング６７の下端縁が前記ピストンロッド６２のピストン部６２ａの上端面に係止されることによって前記インキ吐出パイプ２１の下端縁を前記インキ押出部材１９の加圧面（下面）と同じ高さに保持するようになっている。前記インキ吐出パイプ２１の下端部には前記逆止弁２９が設けられている。
【００４８】
前記ピストンロッド６２の上端面には前記位置規制リング６７の浮き上がりを防止するためのロック機構６８が設けられている。このロック機構６８について説明すると、ピストン部６２ａの上面にはピン６９が立設され、このピン６９には図８に示すように係止レバー７０がピン６９を中心に水平方向の往復動可能に連結されている。ピストン部６２ａの上面には前記係止レバー７０の先端部を係止するための係止具７１が所定位置に取り付けられている。そして、図８に示すように係止レバー７０の先端部が係止具７１によって係止された状態においてはインキ吐出パイプ２１に嵌合固定された位置規制リング６７の上方向への移動が規制されるようになっている。
【００４９】
次に、前記インキ押出部材１９によってインキ缶１４内部のインキが吐出された後に、前記インキ吐出パイプ２１の内部に残留するインキを強制的に排出するための残留インキ排出機構８１について説明する。
【００５０】
前記ピストンロッド６２のピストン部６２ａ及びロッド部６２ｂには、圧縮空気の供給通路８２が形成されている。又、前記インキ押出部材１９の本体６３にも圧縮空気の供給通路６３ａが前記供給通路８２と連通するように形成されている。前記供給通路６３ａには圧縮空気を前記インキ押出部材１９によって密閉された前記インキ缶１４の内部に供給するための圧入孔６３ｂが形成されている。
【００５１】
前記ピン６９の中心部にはその軸線方向に前記コンプレッサ２２からエア供給パイプ２３ｃを介して圧縮空気を前記供給通路８２に供給するための空気通路６９ａが形成されている。
【００５２】
前記インキ缶１４のインキ８４の上面のほぼ全域には、インキ吐出パイプ２１の下端の入口２１ａに嵌入した逆止弁２９と対応する部分に開口８３ａを形成した被覆膜８３が被覆されている。この被覆膜８３によってインキ押出部材１９の加圧面にインキが付着するのを防止するようにしている。
【００５３】
次に、上記のように構成したインキ供給装置について、その動作を説明する。図６は前記インキ押出部材１９が上限位置に保持され、前記支持テーブル１３１の上面にインキ缶１４が支持され、インキ缶１４が下限位置に保持された状態を示す。この状態において、前記操作レバー３５を操作して、支持テーブル１３１を上昇させ、図９に示すようにインキ缶１４の上端開口縁を天板１７の嵌入穴１７ｄに進入し、インキ缶１４の上端外周面をシールリング６６によりシールする。
【００５４】
次に、図示しない電磁切換弁を用いて前記エア供給パイプ２３ｂをドレンポートに切り換え、前記コンプレッサ２２からエア供給パイプ２３ａを通して圧縮空気をエア供給ポート１７ｃから加圧室Ｒに供給する。すると、前記インキ押出部材１９が下方に移動され、インキ押出部材１９に設けたシールリング６４がインキ缶１４の内周面１４ｃに沿って下方に移動され、インキ缶１４内部のインキが逆止弁２９を通ってインキ吐出パイプ２１内部に吐出され、インキつぼへのインキの供給が行われる。
【００５５】
前記シリンダ本体６１に設けられたインキ切れ予告検出器２７Ａ及びインキ切れ検出器２７Ｂによって、ピストン部６２ａの位置が検出されて、インキ切れ予告とインキ切れが順に報知される。
【００５６】
前記インキ押出部材１９が図９に示すように下限位置に移動された状態で、色の異なるインキ缶１４と交換する場合には、図９に示す状態において、前記コンプレッサ２２からエア供給パイプ２３ｃを介して供給通路８２、供給通路６３ａ、圧入孔６３ｂからインキ押出部材１９の加圧面と被覆膜８３の上面との間の隙間に圧縮空気を供給する。すると、この圧縮空気が前記隙間から逆止弁２９を通してインキ吐出パイプ２１の内部に供給されるので、インキ吐出パイプ２１の内部に残留していたインキが排出されてインキつぼに回収される。
【００５７】
前記インキ吐出パイプ２１内の残留インキの排出作業が完了すると、エア供給パイプ２３ａが図示しない電磁切換弁によってドレンポートに切り換えられる。この状態で、前記コンプレッサ２２からエア供給パイプ２３ｂを介して圧縮空気が加圧室Ｒｕに供給され、これによってピストンロッド６２及びインキ押出部材１９が上方に持ち上げられ、インキ押出部材１９が上限位置に移動停止される。この状態において、被覆膜８３を収容したインキ缶１４が廃棄される。
【００５８】
次に、前記係止レバー７０を係止位置から退避位置に回動して、位置規制リング６７のロック状態を解除した後、インキ吐出パイプ２１を位置規制リング６７とともにピストンロッド６２の挿入穴６２ｃから上方に引き抜いて別のインキ吐出パイプ２１と交換する。
【００５９】
このようにして、インキの色変えの段取り作業が終了する。
上記別の実施形態のインキ供給装置の効果について説明する。
（１）上記実施形態では、ピストンロッド６２に対しインキ吐出パイプ２１を取り換え可能に装着したので、インキの種類を変更する際にインキ吐出パイプ２１の取り換え作業を迅速に行うことができる。
【００６０】
（２）上記実施形態では、インキ吐出パイプ２１の内部に残留する残留インキの残留インキ排出機構８１を設けたので、インキの種類を変更する際にインキ吐出パイプ２１内に残留するインキを容易に排出することができ、残留インキを有効に使用することができる。
【００６１】
（３）上記実施形態では、インキ押出部材１９の加圧面に被覆膜８３が接着されるようにしたので、インキ押出部材１９の加圧面がインキによって汚れることがない。このため、インキの色変えの際に、インキ押出部材１９の加圧面の清掃作業を不要にしてインキの色変えに伴う段取り作業を容易に行うことができる。
【００６２】
なお、本実施形態は以下のように変更してもよい。
○　図１０に示すように、天板１７の上面にガイド筒４１を立設し、このガイド筒４１にインキ吐出パイプとしての機能を有する可動インキ吐出パイプ４２を案内移動可能に貫通するようにしてもよい。
【００６３】
○　図１１に示すようにインキ押出部材１９をシリンダ４５のピストンロッド４６により昇降動作するようにしてもよい。この別例ではシールリング１８の下面とインキ缶１４の上端開口縁のシール性は不要である。
【００６４】
○　図示しないがインキ押出部材に代えて、インキ押出部材としてのシートをインキ缶１４内において圧縮空気により下方に移動させてインキを加圧し、シートに接続したインキ吐出パイプ２１からインキを吐出するようにしてもよい。
【００６５】
○　図示しないが前記シール力付与機構３１を、前述したネジ機構又はカム機構に代えて、シリンダや電磁アクチュエータを用いてもよい。
○　前記逆止弁２８を省略してもよい。
【００６６】
○　前記シリンダ６０に代えて、例えば電磁ソレノイド或いはリニアーモータにより直線往復動を行う部材を用いてもよい。
○　前記実施形態では、図９に示すように加圧室Ｒとシリンダ６０等によりインキ押出部材１９の昇降機構を構成したが、これに代えて一つのシリンダや電磁アクチュエータを用いて昇降機構を構成してもよい。
【００６７】
○　前記シール力付与機構３１の配設位置を、ハウジング１６の上端縁と天板１７との間に変更してもよい。
○　図１、図６、図１０及び図１１に示す実施形態において、図示しないが前記インキ供給パイプ２５、インキ吐出パイプ２１、可動インキ吐出パイプ４２に残留インキ排出機構としてのポンプを設ける。そして、インキ缶１４内のインキが無くなった後に、前記ポンプを作動させてインキ供給パイプ２５内の残留インキを排出するようにしてもよい。
【００６８】
この実施形態では、前記供給通路６３ａ，８２、空気通路６９ａ及びエア供給パイプ２３ｃ等を省略することができ、残留インキ排出機構８１の構成を簡素化することができる。
【００６９】
【発明の効果】
以上詳述したように、この発明はインキ缶の構成を簡素化して、部品点数を低減し、製造及び組み付け上のコストを低減することができるとともに、インキの供給作業を確実に行うことができる。
【図面の簡単な説明】
【図１】この発明のインキ供給装置の一実施形態を示す縦断面図。
【図２】同じくインキ供給装置の縦断面図。
【図３】インキ供給装置の横断面図。
【図４】逆止弁の拡大断面図。
【図５】前記ハウジングに対しインキ缶を装着する動作を説明する断面図。
【図６】インキ供給装置の別の実施形態を示す縦断面図。
【図７】リフターガイド及び回転リングの平面図。
【図８】インキ供給装置の平面図。
【図９】インキ供給装置のインキ供給動作を示す縦断面図。
【図１０】この発明の別例を示す縦断面図。
【図１１】この発明の別例を示す縦断面図。
【符号の説明】Ｒ，Ｒｕ…加圧室、１３，１３１…支持テーブル、１４…インキ缶、１４ａ…筒部、１４ｂ…底面、１４ｃ…内周面、１７…天板、１７ａ…吐出ポート、１９…インキ押出部材、２０，４１…ガイド筒、２１…インキ吐出パイプ、２１ａ…下端入口、２１ｂ…上端部、２４…インキ加圧手段、２８，２９…逆止弁、２８ｂ，２９ｂ…弁板、３１…シール力付与機構、８１…残留インキ排出機構、８３…被覆膜、８３ａ…開口、８４…インキ。
【図１】
2004058652.tif 000003
【図２】
2004058652.tif 000004
【図３】
2004058652.tif 000005
【図４】
2004058652.tif 000006
【図５】
2004058652.tif 000007
【図６】
2004058652.tif 000008
【図７】
2004058652.tif 000009
【図８】
2004058652.tif 000010
【図９】
2004058652.tif 000011
【図１０】
2004058652.tif 000012
【図１１】
2004058652.tif 000013